(57)【要約】【課題】吸着構造の提供。【解決手段】吸着構造は導電ユニット１０及び吸着部材２０を有する。吸着部材２０は底部２１を有する。底部２１の辺縁は壁体２２を延伸し、しかも壁体２２の上端には密着面２３を形成する。導電ユニット１０は吸着部材２０の底部２１上に結合され、壁体２２の上端位置に形成される密着面２３を通して吸着状を形成され、吸着部材２０は導電ユニット１０の位置を固定する。これにより検知時の導電ユニット１０の移動を防止でき、身体表層への接触状態を保持固定し、生理信号の検知を効果的に行うことができる。【選択図】図１
0003204229.tif 000002
【実用新案登録請求の範囲】
【請求項１】
吸着構造であって、導電ユニット、吸着部材を有し、
前記吸着部材は、底部を有し、
前記底部の辺縁は、壁体を延伸し、しかも前記壁体の上端には、密着面を形成し、
前記導電ユニットは、前記吸着部材の底部上に結合され、前記壁体の上端位置に形成される密着面を通して吸着状を形成され、こうして、前記吸着部材は、前記導電ユニットの位置を固定することを特徴とする吸着構造。
【請求項２】
前記吸着部材はさらに、底部の辺縁から少なくとも１個の延伸セクションを延伸し、
前記延伸セクションの辺縁は、延展出壁体で、しかも前記延展出壁体の上端には、密着面を形成し、
前記延伸セクション内にはさらに、導電延伸ユニットを設置し、前記導電延伸ユニットは、前記吸着部材内に設置される導電ユニットが延伸することを特徴とする請求項１に記載の吸着構造。
【請求項３】
前記吸着部材はさらに、シリコーンであることを特徴とする請求項１或いは２に記載の吸着構造。
【請求項４】
前記壁体はさらに、垂直状であることを特徴とする請求項１或いは２に記載の吸着構造。
【請求項５】
前記壁体はさらに、傾斜状であることを特徴とする請求項１或いは２に記載の吸着構造。
【請求項６】
前記吸着部材はさらに、導電ゴムであることを特徴とする請求項１或いは２に記載の吸着構造。
【請求項７】
前記吸着部材はさらに、底部の辺縁から少なくとも１個の延伸セクションを延伸し、しかも前記吸着部材及び前記延伸セクションはさらに、導電ゴムであることを特徴とする請求項１に記載の吸着構造。
【請求項８】
前記導電ユニットと前記吸着部材との結合には、オスフック及び一メスフックをさらに採用し、
前記オスフックの前端は、凸円頭を呈し、前記メスフックの中央は、内凹円体を呈し、しかも前記オスフックの前端の凸円頭の直径は、前記メスフックの中央の内凹円体の直径と等しいか大きく、
前記オスフックの凸円頭は先ず、前記導電ユニットを通過し、続いて前記吸着部材の底部を通過し、最後に前記メスフックの内凹円体内に嵌合され、
これにより、前記オスフックは、前記メスフック内に緊密に嵌合されることを特徴とする請求項１に記載の吸着構造。
【請求項９】
前記導電ユニットはさらに、信号伝送接点を連接し、しかも前記信号伝送接点はさらに、信号送信器と導電線により連接され、しかも前記信号送信器内には、無線伝送モジュールを設置し、受信した信号を伝送できることを特徴とする請求項１に記載の吸着構造。
【請求項１０】
前記導電ユニットはさらに、導電布、電極片の何れか一種で、しかも前記導電ユニットを通して身体皮膚上に密着でき、身体表層の生理信号を検知でき、
前記生理信号は、体温、心拍、脈拍、呼吸の何れか一種であることを特徴とする請求項１或いは２或いは８或いは９に記載の吸着構造。
【考案の詳細な説明】
【技術分野】
【０００１】
本考案は吸着構造に関し、導電ユニット及び吸着部材の組合せ設計で、検知時の導電ユニットの移動を防止でき、身体表層への接触状態を保持固定し、生理検知装置、傾斜検知装置或いは類似装置に適用される者吸着構造に関する。
【背景技術】
【０００２】
近年、ＩＴメーカーはファブリックへの電極片装置に積極的に参入している。ファブリックに電極片を装置することで、着用時に、着用者の生理信号を検知し、その身体機能状態を理解し、監視及び記録することができる。
【０００３】
電極片が身体表層と接触する時、電極片はファブリック上に固定されている。電極片はしばしば身体の動きに従うため、ファブリックも動き移動が生じてしまう。
【０００４】
これにより、電極片が身体表層で生理信号の検知を行う時には、信号の中断或いは信号異常の状況が発生し易く、電極片の位置調整を再び行う必要や、電極片が生理信号の検知を行い易いよう身体を静止状態に保つ必要がある。
【考案の概要】
【考案が解決しようとする課題】
【０００５】
前記先行技術には、電極片が身体表層と接触する時、移動が生じるという欠点がある。
【課題を解決するための手段】
【０００６】
本考案吸着構造は、導電ユニット及び吸着部材の組合せ設計である。
該吸着部材は、底部を有する。
該底部の辺縁は、壁体を延伸し、しかも該壁体の上端には、密着面を形成する。
該導電ユニットは、該吸着部材の底部上に結合され、該壁体の上端位置に形成される密着面を通して吸着状を形成される。
こうして、該吸着部材は、該導電ユニットの位置を固定し、これにより検知時の該導電ユニットの移動を防止でき、身体表層への接触状態を保持固定し、生理信号の検知を効果的に行え、こうして全体的な実用性を向上させられる。
【０００７】
本考案吸着構造において、該吸着部材は該底部の辺縁より少なくとも１個の延伸セクションを延伸する。
該延伸セクションの辺縁は、延展出壁体で、しかも該延展出壁体の上端には、密着面を形成する。
該延伸セクション内には、導電延伸ユニットを設置し、該導電延伸ユニットは、該吸着部材内の導電ユニットから延伸する。
これにより、身体表層との接触面積を拡大し、生理信号検知の正確性を拡大し、全体的な正確性を強化することができる。
【０００８】
本考案吸着構造において、該吸着部材は底部の辺縁から少なくとも１個の延伸セクションを延伸し、しかも該吸着部材及び該延伸セクションは、導電ゴムである。
これにより、その吸着密着度を高め、該吸着部材内に位置する導電ユニットは該延伸セクション内まで延伸することができる。
こうして、生理信号検知の強度を高め、検知性能を高めることができ、全体的な実用性を向上させられる。
【０００９】
本考案による吸着構造は導電ユニット及び吸着部材を有する。
該吸着部材は、底部を有する。
該底部の辺縁は、壁体を延伸し、しかも該壁体の上端には、密着面を形成する。
該導電ユニットは、該吸着部材の底部上に結合され、該壁体の上端位置に形成される密着面を通して吸着状を形成される。
こうして、該吸着部材は、該導電ユニットの位置を固定する。
【考案の効果】
【００１０】
本考案は、電極片が検知を行う際の移動を防止可能な吸着構造で、これにより使用者は簡単に取り付けでき、使用者に利便性を提供できる。
【図面の簡単な説明】
【００１１】
【図１】本考案第一実施形態による立体外観模式図である。
【図２】本考案第一実施形態による断面模式図である。
【図３】本考案第一実施形態がオスフックを有する様子の立体外観図である。
【図４】本考案第一実施形態がオスフック及びメスフックを有する様子の断面模式図である。
【図５】本考案第二実施形態が二段延伸セクションを有する様子の外観模式図である。
【図６】本考案第二実施形態が六段延伸セクションを有する様子の外観模式図である。
【図７】本考案第三実施形態が導電ゴムの延伸セクションを有する様子の外観模式図である。
【考案を実施するための形態】
【実施例】
【００１２】
図１〜７図は、本考案実施形態の模式図である。本考案の吸着構造の実施形態は、生理検知装置、傾斜検知装置或いは類似装置に運用され、導電ユニット１０の検知時の移動を防止でき、身体表層への接触状態を保持固定し、生理信号の検知を効果的に行え、その検知性能を高めることができる。
【００１３】
本考案の吸着構造の第一実施形態は、導電ユニット１０及び吸着部材２０を有する（図１参照）。導電ユニット１０は、導電布、電極片の何れか一種で（或いは他の導電代替物）、しかも導電ユニットを通して身体皮膚上に密着でき、身体表層の生理信号を検知する。その生理信号は、体温、心拍、脈拍、呼吸の何れか一種で、導電ユニット１０は、複数の導電繊維により編織されて構成され、或いは複数の非導電繊維と複数の導電繊維とを混ぜて編織して構成する。これにより、導電ユニット１０は、導電性能を有する。
【００１４】
本考案の吸着部材２０は、シリコーン或いは導電ゴムにより製造される。シリコーンは、粒状多孔の二酸化シリカ水和物で、ケイ酸ナトリウムにより加酸後に洗浄、乾燥させて、形成される。その耐熱温度は、２２０℃〜２８０℃で、最良の離型能力を備え、しかもシリコーンは導電性を備える。
【００１５】
導電ゴムは、導電性能を備え、しかも導電ゴムは主に高性能シリコーンゴムをバインダーに、銅メッキ銀、アルミメッキ銀、ガラスメッキ銀、グラファイトメッキニッケル顆粒等の導電顆粒と添加物を加える。これにより、導電顆粒は、シリコーンゴム中に均一に分布し、圧力を加えることで、導電顆粒を接触させ、良好な導電性能を備える。本考案の吸着部材２０は、シリコーン及び導電ゴムを採用する他、他の導電性能を備えないコロイド或いは導電性能を備えるコロイドを採用でき、上述の材料に限定されない。
【００１６】
吸着部材２０は、底部２１を有する。底部２１の辺縁は、壁体２２を延伸し、盆状体を形成する。しかも、壁体２２の上端には、密着面２３を形成する（図１及び図２参照）。密着面２３は、平らで整い、これにより身体表層上に密着できる。壁体２２を通して、密封エリアを形成し、密封エリア内の身体表層が生じる水分は発散しにくいため、密封エリア内にとどまり、導電の性能を拡大できる。
【００１７】
導電ユニット１０は、吸着部材２０の底部２１上に結合され、しかも結合方式は、密着、リベット結合、くぎ付け等の多種の方式を採用することができる。以下の本考案結合実施形態では、オスフック３１及びメスフック３２を設置する。オスフック３１の前端は、凸円頭３１１を呈し、メスフック３２の中央は、内凹円体３２１を呈する。しかも、オスフック３１の前端の凸円頭３１１の直径は、メスフック３２の中央の内凹円体３２１の直径と等しいか大きい。
【００１８】
オスフック３１の凸円頭３１１は先ず導電ユニット１０を通過し、次に吸着部材２０の底部２１を通過し、最後にメスフック３２の内凹円体３２１内に嵌合される。これにより、オスフック３１はメスフック３２内に緊密に挿入される（図３及び図４参照）。これにより、導電ユニット１０は、吸着部材２０の底部２１上と結合され、さらに壁体２２の上端位置に形成される密着面２３吸着状を形成される。こうして吸着部材２０は、導電ユニット１０の位置を固定し、導電ユニット１０が検知時に移動を生じ、生理信号の検知に影響を及ぼすことを防止する。
【００１９】
本考案の吸着構造の第二実施形態は、上述の第一実施形態中の導電ユニット１０及び吸着部材２０を基礎とする。しかも、導電ユニット１０は、導電布、電極片の何れか一種で（或いは他の導電代替物）、吸着部材２０の底部２１の辺縁は、少なくとも１個の延伸セクション４０を延伸する。延伸セクション４０は、一段、二段、三段……六段等の複数の段とできる（本考案は二段及び六段を実施形態とする）（図５及び図６参照）。
【００２０】
延伸セクション４０の辺縁は、延展出壁体４１で、しかも延展出壁体４１の上端には、密着面４２を形成する。密着面４２は、平らで整い、これにより身体表層上に密着できる。延伸セクション４０の壁体４１と吸着部材２０の壁体２２により、繋がった密封エリアを形成する。密封エリア内の身体表層が発生する水分は、発散しにくいため、密封エリア内にとどまり、導電の性能を拡大できる。
【００２１】
吸着部材２０の壁体２２及び該延伸セクション４０の壁体４１は、垂直状（図６参照）或いは傾斜状（図５参照）等の異なる実施状態である。これにより、本考案は吸着部材２０の底部２１が延伸した延伸セクション４０により、身体表層との接触面積を拡大し、延伸セクション４０は、吸着部材２０の身体表層上への堅固な密着を助ける。
【００２２】
延伸セクション４０内には、導電延伸ユニット５０を設置し、導電延伸ユニット５０は、吸着部材２０内の導電ユニット１０から延伸する。こうして、導電ユニット１０は、延長性能を備え、しかも生理信号の検知を強化することができる。
【００２３】
本考案の吸着構造の第三実施形態は、第一実施形態中の導電ユニット１０及び吸着部材２０を基礎とする。しかも、導電ユニット１０は、導電布、電極片の何れか一種で（或いは他の導電代替物）で、吸着部材２０の底部２１の辺縁は、少なくとも１個の延伸セクション６０を延伸する（図７参照）。導電ユニット１０は、吸着部材２０の底部２１上に結合され、しかもその結合方式は、密着、リベット結合、くぎ付け等の多種の方式を採用することができる。また、第一実施形態中に設置するオスフック３１及びメスフック３２の結合方式（図示なし）を採用することもできる。本実施形態は、密着方式により掲示する。
【００２４】
本実施形態の吸着部材２０及び延伸セクション６０は、導電ゴムを採用して製造され、しかも吸着部材２０及び延伸セクション６０は一体成型である。延伸セクション６０の表面は、身体表層に密着出来、これにより吸着部材２０の底部２１に結合する導電ユニット１０は、導電ゴムにより製造される吸着部材２０及び延伸セクション６０は、生理信号の検知を強化される。しかも、延伸セクション６０により、身体表層との接触面積を拡大し、生理検知信号の正確性を向上させることができる。
【００２５】
本考案の吸着構造の第一、二及び三種実施形態では、導電ユニット１０は、信号伝送接点（図示なし）に連接し、しかも信号伝送接点は、信号送信器と導電線により連接される（図示なし）。しかも、信号送信器内には、無線伝送モジュールを設置し、受信した生理信号及びその変化を、無線伝送方式を通して電子設備（スマートフォン、スマート型タブレットＰＣ、ノート型コンピューター、テスクトップコンピューター、医療設備等）或いはクラウドに伝送し、その検知の結果を理解し、予防医療を行うことができる。
【００２６】
前述した本考案の実施形態は本考案を限定するものではなく、よって、本考案により保護される範囲は後述される実用新案登録請求の範囲を基準とする。
【符号の説明】
【００２７】
１０  導電ユニット
２０  吸着部材
２１  底部
２２  壁体
２３  密着面
３１  オスフック
３１１  凸円頭
３２  メスフック
３２１  内凹円体
４０  延伸セクション
４１  壁体
４２  密着面
５０  導電延伸ユニット
６０  延伸セクション
【図１】
0003204229.tif 000003
【図２】
0003204229.tif 000004
【図３】
0003204229.tif 000005
【図４】
0003204229.tif 000006
【図５】
0003204229.tif 000007
【図６】
0003204229.tif 000008
【図７】
0003204229.tif 000009
【手続補正書】
【提出日】平成28年3月22日(2016.3.22)
【手続補正１】
【補正対象書類名】実用新案登録請求の範囲
【補正対象項目名】請求項８
【補正方法】変更
【補正の内容】
【請求項８】
前記導電ユニットと前記吸着部材との結合には、オスフック及びメスフックをさらに採用し、
前記オスフックの前端は、凸円頭を呈し、前記メスフックの中央は、内凹円体を呈し、しかも前記オスフックの前端の凸円頭の直径は、前記メスフックの中央の内凹円体の直径と等しいか大きく、
前記オスフックの凸円頭は先ず、前記導電ユニットを通過し、続いて前記吸着部材の底部を通過し、最後に前記メスフックの内凹円体内に嵌合され、
これにより、前記オスフックは、前記メスフック内に緊密に嵌合されることを特徴とする請求項１に記載の吸着構造。